(57)【要約】　　　（修正有）【課題】コンテンツが検索された後に、特に、装置間でのコンテンツの転送または消費の後に、コンテンツを保護するための標準化を図ること。【解決手段】コンテンツ及び分配形ＩＰＭＰ装置間のＩＰＭＰツール転送に関し一組のメッセージは、分配形ＩＰＭＰ装置に対して画定される。これらのメッセージは、コンテンツ転送メッセージ、ＩＰＭＰツール転送メッセージ、装置ＩＤ同時通信メッセージを含み、分配形装置は、ネットワークを確立するために標準の組のメッセージを用い、かつインタオペラブルな方法でＩＰＭＰで保護されたコンテンツを交換する。また、特にＭＰＥＧ−４システムの権利の多重化（ｃａｒｒｉａｇｅ）にも関し、権利ＥＳは、権利情報を多重化するために、ＭＰＥＧ−４で画定される。権利ＥＳは、ＥＳに多重化される権利が独占的か否か、及び／又は権利ＥＳを取り扱うためにどの権利管理ツールであるべきかを含んでいる情報に付加する。【選択図】　　　　　図３
2004129194.tif 000002
【特許請求の範囲】
【請求項１】
分配形ＩＰＭＰ装置間のメッセージングの方法であり、各ＩＰＭＰ装置がそれ自体を識別するための独自の装置ＩＤを有し、装置ＩＤを製造時間中、または購入時に割り当てることができる方法であって、
それが存在するネットワーク・ドメインを識別するために各ＩＰＭＰ装置に対するドメインＩＤを取得するステップであって、該ネットワークが一群のＩＰＭＰ装置を意味するステップと、
ＩＰＭＰ装置のネットワーク・ドメインを結合することにより、近傍のＩＰＭＰ装置にＩＰＭＰ装置ＩＤを同時通信するステップと、
同時通信された装置ＩＤを受信することにより、前記近傍のＩＰＭＰ装置の装置ＩＤを含む受理メッセージを受信するステップとを含む方法。
【請求項２】
一定のコンテンツＩＤによって識別されたコンテンツを要求しているＩＰＭＰ装置からコンテンツ要求メッセージを受信するステップと、
要求メッセージで送られたドメインＩＤをチェックし、さらに前記要求されたコンテンツに関連付けられた権利情報をチェックし、その後に肯定または否定のいずれかの応答メッセージを送り戻すステップと、
前記応答メッセージが肯定であるならば、その後にコンテンツ転送メッセージを用いて前記コンテンツを送ることを開始するステップと、
を更に含む請求項１に記載の方法。
【請求項３】
一定のコンテンツＩＤによって識別されたコンテンツを要求しているＩＰＭＰ装置からコンテンツ要求メッセージを受信するステップと、
要求メッセージで送られたドメインＩＤをチェックし、さらに前記要求されたコンテンツに関連付けられた権利情報をチェックし、その後に肯定または否定のいずれかの応答メッセージを送り戻すステップと、
前記ＩＰＭＰ装置が信用ＩＰＭＰ装置であるかどうかを確認するために、ＭＰＥＧ　ＩＰＭＰにおいて画定された相互認証メッセージを用いて、前記ＩＰＭＰ装置により相互認証を行うことを選択するステップと、
その後にコンテンツ転送メッセージを用いて前記コンテンツを送ることを開始するステップであって、前記応答が肯定でかつ前記相互認証が成功したならば、前記コンテンツ転送メッセージは、その機密性を確保するためにＭＰＥＧ　ＩＰＭＰにおいて画定された安全メッセージとしてペイロードのように多重化される、該ステップとを更に含む請求項１に記載の方法。
【請求項４】
一定のツールＩＤによって識別されたＩＰＭＰツールを要求しているＩＰＭＰ装置からＩＰＭＰツール要求メッセージを受信するステップと、
要求メッセージで送られたドメインＩＤをチェックし、また前記要求されたＩＰＭＰツールの利用可能性もチェックし、その後に肯定または否定のいずれかの応答メッセージを送り戻すステップと、
前記応答メッセージが肯定であるならば、該ポジティブ応答メッセージに該要求されたＩＰＭＰツールを多重化するステップとを更に含む請求項１に記載の方法。
【請求項５】
一定のツールＩＤによって識別されたＩＰＭＰツールを要求しているＩＰＭＰ装置からＩＰＭＰツール要求メッセージを受信するステップと、
要求メッセージで送られたドメインＩＤをチェックし、また前記要求されたＩＰＭＰツールの利用可能性もチェックし、その後に肯定または否定のいずれかの、応答メッセージを送り戻すステップと、
前記応答がポジティブであるようになるならば、前記ＩＰＭＰ装置が信用ＩＰＭＰ装置であるかどうかを確認するために、ＭＰＥＧ　ＩＰＭＰにおいて画定された相互認証メッセージを用いて、前記ＩＰＭＰ装置により相互認証を行うことを選択するステップと、
前記要求されたＩＰＭＰツールを含んでいるポジティブ応答メッセージを送り戻すステップであり、前記相互認証が成功したならば、前記応答メッセージは、その機密性を確保するためにＭＰＥＧ　ＩＰＭＰにおいて画定された安全メッセージとしてペイロードのように多重化されるステップとを更に含む請求項１に記載の方法。
【請求項６】
ＭＰＥＧ　ＩＰＭＰシステムにおける一定の場所に多重化された権利情報を処理する方法であり、該権利情報は、権利言語を用いて構築され、該権利情報は、それをコンテンツの一定の場所に多重化され、かつ該権利情報は、前記権利言語に基づき権利管理ツールを有するＩＰＭＰ端末に送られる該方法であって、
前記コンテンツ内部の前記場所から前記権利情報を抽出し、その後に前記権利管理ツールに前記抽出した権利情報をルーティングするステップと、
その後に、前記権利言語により前記権利情報を解釈し、かつ前記管理ツールによりコンテンツ消費を制御するステップとを含む方法。
【請求項７】
ＭＰＥＧ　ＩＰＭＰシステムにおける一定の場所に多重化された権利情報を処理する方法であり、前記権利情報は、権利言語を用いて構築され、該権利情報は、それをコンテンツの一定の場所に多重化され、
前記権利情報に関連付けられた情報におけるツールＩＤを特定することによってどの権利管理ツールが前記権利言語を取り扱うべきかを示す方法であって、
前記コンテンツ内部の前記場所からから前記権利情報を抽出し、ツールＩＤを見ることによってどの権利管理ツールがこの権利情報を取り扱うべきかを決定するステップと、
端末に権利管理ツールが存在しないならば当該権利管理ツールを検索し、その後に前記権利管理ツールに前記権利情報をルーティングするステップと、
その後に、前記権利言語により前記権利情報を解釈し、かつ前記管理ツールによりコンテンツ消費を制御するステップとを含む方法。
【請求項８】
ＭＰＥＧ　ＩＰＭＰシステムにおける一定の場所に多重化された権利情報を処理する方法であり、前記権利情報は、それをコンテンツに関連付けられた権利ＥＳ（エレメンタリ・ストリーム）に多重化され、
前記権利情報は、一定の権利言語を用いて構築され、かつ当該権利情報は、コンテンツの前記権利ＥＳに多重化され、
前記権利ＥＳは、その他のエレメンタリ・ストリームと一緒にマルチプレックスされ、かつ前記権利言語に基づき権利管理ツールを有するＭＰＥＧ　ＩＰＭＰ端末に送られる方法であって、
前記コンテンツ内部の前記権利ＥＳから前記権利情報を抽出し、前記権利管理ツールに前記権利情報をルーティングするステップと、
その後に、前記権利言語により、前記権利情報を解釈し、かつ前記管理ツールによりコンテンツ消費を制御するステップとを含む方法。
【請求項９】
ＭＰＥＧ　ＩＰＭＰシステムにおける一定の場所に多重化された権利情報を処理する方法であり、前記権利情報は、それをコンテンツに関連付けられた権利ＥＳに多重化され、
前記権利情報は、権利言語を用いて構築され、かつ当該権利情報は、コンテンツの前記場所に多重化され、
前記権利ＥＳＤ（ＥＳ記述子）に関連付けられたデコーダ特定情報におけるツールＩＤを特定することによってどの権利管理ツールが前記権利言語を取り扱うべきかを示す方法であって、
前記コンテンツ内部の前記権利ＥＳから前記権利情報を抽出し、かつデコーダ特定情報におけるツールＩＤを見ることによってどの権利管理ツールがこの権利情報を取り扱うべきかを決定するステップと、
端末に権利管理ツールが存在しないならば当該権利管理ツールを検索し、その後に前記権利管理ツールに前記権利情報をルーティングするステップと、
その後に、前記権利言語により前記権利情報を解釈し、かつ前記コンテンツ消費を制御するステップとを含む方法。
【発明の詳細な説明】
【０００１】
【発明の属する技術分野】
本発明は、分配形ＩＰＭＰ（知的財産管理および保護：Ｉｎｔｅｌｌｅｃｔｕａｌ　Ｐｒｏｐｅｒｔｙ　Ｍａｎａｇｅｍｅｎｔ　ａｎｄ　Ｐｒｏｔｅｃｔｉｏｎ）装置間のコンテンツおよびＩＰＭＰツール転送に関する。
【０００２】
また、それは、ＭＰＥＧシステム、特にＭＰＥＧ−４システムにおける権利の多重化（ｃａｒｒｉａｇｅ）に関する。
【０００３】
【従来の技術】
広帯域ネットワークが全ての家に達すると、コンテンツ分配がますます要求されるようになってきている。ユーザは、便利性によって喜び、かつ彼らは、以前よりもさらに容易にかつ効率的に娯楽を楽しむことができる。
【０００４】
コンテンツ分配連鎖では、コンテンツ所有者、コンテンツ分配者から、エンド・ユーザまで、一つのコンテンツの操作に含まれる多くのパーティが存在する。
【０００５】
まず第１に、コンテンツ所有者は、コンテンツを生成しかつポストプロダクション・ハウスは、コンテンツがＭＰＥＧ−２またはＭＰＥＧ−４のような一定のフォーマットにエンコードすることを支援する。また、コンテンツは、ＩＰＭＰ方法で保護される、例えば、一定のＩＰＭＰツールによって暗号化される。
【０００６】
各コンテンツを識別し、保護しかつ認識するために、コンテンツ所有者は、コンテンツの異なる部分に対する権利を記述するために使用規則を生成するであろう。コンテンツが要求されるかまたはユーザに分配されるときに、異なる使用規則は、異なるビジネス・モデルまたはストラテジーに基づき異なる場合に適用される。かかる使用規則または権利記述は、同じコンテンツ所有者に対してもコンテンツ分配者毎に大きく異なるであろう。
【０００７】
従来のＩＰＭＰまたはＣＡ（コンディション・アクセス）システムは、コンテンツ分配者からエンド・ユーザの家のネットワークのエントリポイント、例えばデジタル・ビデオ同時通信の場合にはＳＴＢ（セットトップボックス）までコンテンツを保護するだけである。コンテンツのＩＰＭＰ保護の従来技術を図１に示す。
【０００８】
コンテンツが検索された後に、特に、装置間でのコンテンツ転送または消費の後に、コンテンツを保護するための標準化またはインタオペラブルな方法が現在、存在していない。また、装置間でコンテンツまたはＩＰＭＰツールを交換するための標準化またはインタオペラブルな方法も存在していない。
【０００９】
コンテンツがＭＰＥＧ−４のような、同じフォーマットでエンコードされても、それは、異なる権利記述、異なる使用規則またはコンテンツ内部の権利情報の異なる場所によりインタオペラビリティをまだ達成することができない。
【００１０】
【発明が解決しようとする課題】
コンテンツが検索された後に、特に、装置間でのコンテンツ転送または消費の後に、コンテンツを保護するための標準化方法を有する必要性が存在する。次いで、ＩＰＭＰ装置間でインタオペラビリティを有することができる。従って、装置間でコンテンツまたはＩＰＭＰツールを交換するための方法を標準化する必要性が存在する。
【００１１】
また、ＭＰＥＧシステム、特にＭＰＥＧ−４システム内部に権利情報（権利記述、使用規則）を配置する特定の場所を標準化する必要性が存在する。
【００１２】
【課題を解決するための手段】
一組のメッセージは、分配形ＩＰＭＰ装置に対して画定される。これらのメッセージは、コンテンツ転送メッセージ、ＩＰＭＰツール変換メッセージ、並びに装置ＩＤ同時通信メッセージを含む。これらのメッセージを用いて、分配形装置は、ネットワークを確立し、かつインタオペラブルな方法でＩＰＭＰによって保護されたコンテンツを交換するために標準の組のメッセージを用いることができる。
【００１３】
権利を保持するための標準化位置は、各ＭＰＥＧシステムに対して特定される必要がある。権利ＥＳ（エレメンタリ・ストリーム）は、権利情報を多重化（ｃａｒｒｙ）するために、ＭＰＥＧ−４システムで画定される。また、権利ＥＳは、ＥＳに多重化された権利がプロプラエタリであるか否か、および／またはこの権利ＥＳを取り扱うための権利管理ツールが何であるべきかを含んでいる情報に付加される。それにより、端末は、インタオペラブルな方法で構築することができかつ標準化位置から権利を検索することができる。
【００１４】
【作用】
（ａ）　分配形ＩＰＭＰ装置
二つの従順ＩＰＭＰ装置間の送信は、図２に示すように、インタオペラビリティを供給するために本発明で画定されたメッセージを用いて標準化インタフェースを通して実現される。
【００１５】
従来のＩＰＭＰ保護および分配形ＩＰＭＰ装置間でトークする機能の両方を支持するＩＰＭＰ装置を図３に示す。
【００１６】
一組の標準メッセージは、異なるＩＰＭＰ装置間のインタオペラビリティを確保するためにコンテンツまたはＩＰＭＰツールを交換するように実施形態で特定される。
【００１７】
上記転送の前に、相互認証が二つの装置間で実行される。そして、装置間で交換されたメッセージは、を機密性を確保するために安全メッセージのペイロードとして設定されうる。
【００１８】
（ｂ）　コンテンツにおける権利の多重化（ｃａｒｒｉａｇｅ）
コンテンツ製品側では、メディア・コンテンツは、ＭＰＥＧ−２またはＭＰＥＧ−４のような既存のコーディング技術を用いてエンコードされ、かつＤＥＳまたはＡＥＳのような既存のＩＰＭＰツールを用いて暗号化される。関連権利情報は、標準権利言語またはプロプラエタリ言語のいずれかを用いて構築され、かつコンテンツ内部の標準化位置に配置される。
【００１９】
ＭＰＥＧ−４システムでは、権利情報は、権利ＥＳ（エレメンタリ・ストリーム）内部に多重化され、かつその他のＭＰＥＧ−４システムＥＳと一緒にマルチプレックスされる。権利ＥＳ内部に多重化された権利情報は、コンテンツの著者によりデジタル的に署名されうる。
【００２０】
使用した権利言語がプロプラエタリであるならば、関連デコーダ特定情報では、特定の権利管理ツールが示されて、端末は、権利情報を特定した権利管理ツールに転送することができる。
【００２１】
端末側では、ＩＰＭＰ端末は、コンテンツ内部の標準化位置、即ち、ＭＰＥＧ−４　ＩＰＭＰシステムの場合には権利ＥＳから権利情報を検索する。
【００２２】
関連権利ＥＳのデコーダ特定情報から、権利情報がＩＰＭＰ端末も準拠する標準権利言語でコード化されるならば、ＩＰＭＰ端末は、組込み標準権利管理ツールに権利情報を引渡す。権利情報がプロプラエタリ権利言語でコード化されるならば、ＩＰＭＰ端末は、ツールＩＤによって示されたようにプロプラエタリ権利管理ツールに権利情報を送る。
【００２３】
そして、ＩＰＭＰ標準に準拠して構築された全てのＭＰＥＧ−ｎ　ＩＰＭＰ端末は、インタオペラブル方法でＩＰＭＰ保護コンテンツ内部に多重化された権利情報を検索しかつ処理することができる。
【００２４】
【発明の実施の形態】
（ａ）　分配形ＩＰＭＰ装置間のメッセージ
（ａ−１）　分配形装置のアドレス指定
ネットワーク・ドメインにおける異なるＩＰＭＰ装置をアドレス指定するために、全てのＩＰＭＰ装置は、独自の６４ビット装置ＩＤが割り当てられるべきである。どのように装置ＩＤが独自に割り当てられかつ維持されるかは、実施の問題である。それは、製造時間中に割り当てられうる。
【００２５】
（ａ−２）　ＩＰＭＰ＿ＤｅｖｉｃｅＭｅｓｓａｇｅＢａｓｅ
シンタクス
2004129194.tif 000003
【００２６】
セマンティクス：
ＩＰＭＰ＿ＤｅｖｉｃｅＭｅｓｓａｇｅＢａｓｅは、装置メッセージへのＩＰＭＰ装置に対する拡張可能ベース・クラスである。メッセージのバイナリ形式は、以下のように見える。
【００２７】
【表１】
2004129194.tif 000004
【００２８】
バージョンは、メッセージで用いたシンタクスのバージョンを示しかつ０ｘ０１に設定される。
【００２９】
Ｓｅｎｄｅｒ＿ＤｅｖｉｃｅＩＤは、メッセージの発信者の装置ＩＤを示す。Ｒｅｃｉｐｉｅｎｔ＿ＤｅｖｉｃｅＩＤは、メッセージの意図した受信者の装置ＩＤを示す。
Ｍｓｇ＿ＩＤは、メッセージ発信者によって特定されたメッセージ識別子である。メッセージに応答して送られた全てのメッセージは、オリジナル・メッセージの識別子を含む。
【００３０】
ＩＰＭＰ＿ＴｏｏｌＭｅｓｓａｇｅＢａｓｅから拡張されたあるメッセージは、ＩＰＭＰ＿ＤｅｖｉｃｅＭｅｓｓａｇｅＢａｓｅからも拡張されうるし、ＩＰＭＰ＿Ｔｏｏｌ＿Ｓｅｃｕｒｅ＿Ｍｅｓｓａｇｅ、ＩＰＭＰ＿ＩｎｉｔＡｕｔｈｅｎｔｉｃａｔｉｏｎ並びにＩＰＭＰ＿ＭｕｔｕａｌＡｕｔｈｅｎｔｉａｔｉｏｎを含んでいる。
【００３１】
その最上部には、以下に画定される、特定の装置間メッセージが存在する。
（ａ−３）　ＩＰＭＰ＿ＤｅｖｉｃｅＩＤ＿ＢｒｏａｄｃａｓｔｉｎｇＭｅｓｓａｇｅ
シンタクス：
2004129194.tif 000005
応答：
ＩＰＭＰ＿ＤｅｖｉｃｅＩＤ＿Ｒｅｃｅｉｖｅｄ。
【００３２】
（ａ−４）　ＩＰＭＰ＿ＤｅｖｉｃｅＩＤ＿Ｒｅｃｅｉｖｅｄ
装置Ａが装置ＢからＩＰＭＰ＿ＤｅｖｉｃｅＩＤ＿ＢｒｏａｄｃａｓｔｉｎｇＭｅｓｓａｇｅを受信したときに、装置Ａは、受理メッセージを送り戻し、かつ装置Ａの装置ＩＤについて告げる必要がある。メッセージ・シンタクスを以下に示す。
【００３３】
シンタクス：
2004129194.tif 000006
応答：
なし。
【００３４】
また、以下に画定するようなあるコンテンツ転送メッセージも存在する。
（ａ−５）　ＩＰＭＰ＿ＲｅｑｕｅｓｔＣｏｎｔｅｎｔ
シンタクス：
2004129194.tif 000007
【００３５】
セマンティクス：
Ｃｏｎｔｅｎｔ＿ＩＤ−記録されたコンテンツを独自に識別する識別番号。このＣｏｎｔｅｎｔ＿ＩＤは、記録する時間前にユーザによって割り当てられることが可能でありうる。
【００３６】
Ｄｏｍａｉｎ＿ＩＤ−それは、許可ドメインを識別する。同じ許可ドメイン内の全てのＩＰＭＰ互換性装置は、可能であればオペレータへの登録の時間中に、オペレータからある安全手段を介して同じＤｏｍａｉｎ＿ＩＤを取得すべきである。
【００３７】
応答：
ＩＰＭＰ＿ＲｅｓｐｏｎｓｅＴｏＣｏｎｔｅｎｔＲｅｑｕｅｓｔ
装置Ａが装置Ｂから要求メッセージを受信した後、装置Ａは、装置Ｂと相互認証を行うことを選択しうる。
【００３８】
（ａ−６）　ＩＰＭＰ＿ＲｅｓｐｏｎｓｅＴｏＣｏｎｔｅｎｔＲｅｑｕｅｓｔシンタクス：
2004129194.tif 000008
セマンティクス：
【００３９】
【表２】
表２−コンテンツ要求に対する応答メッセージ
2004129194.tif 000009
【００４０】
（ａ−７）　ＩＰＭＰ＿ＣｏｎｔｅｎｔＴｒａｎｓｆｅｒ
シンタクス：
2004129194.tif 000010
【００４１】
セマンティクス：
シーケンス−８ビット・フィールドは、このペイロードのシーケンス番号を示し、これは、コンテンツをだいなしにすることなく受信者装置にコンテンツを再生させることができる。それは、各ＩＰＭＰ＿ＣｏｎｔｅｎｔＴｒａｎｓｆｅｒメッセージを累積し、かつ２５６に到達したときに０にリセットされる。
【００４２】
コンテンツを安全に転送するために、このメッセージ全体は、現在のＩＰＭＰ拡張ＣＤにおいて画定されたようなＩＰＭＰ＿Ｔｏｏｌ＿Ｓｅｃｕｒｅ＿Ｍｅｓｓａｇｅのペイロードとして設定することができる。
応答：
要求されない
同様に、また、以下に画定されたあるツール転送メッセージも存在する。
【００４３】
（ａ−８）　ＩＰＭＰ＿ＲｅｑｕｅｓｔＴｏｏｌ
シンタクス：
2004129194.tif 000011
応答：
ＩＰＭＰ＿ＲｅｓｐｏｎｓｅＴｏＴｏｏｌＲｅｑｕｅｓｔ。
【００４４】
（ａ−９）　ＩＰＭＰ＿ＲｅｓｐｏｎｓｅＴｏＴｏｏｌＲｅｑｕｅｓｔ
シンタクス：
2004129194.tif 000012
【００４５】
セマンティクス：
【表３】
表３−ツール要求に対する応答メッセージ
2004129194.tif 000013
【００４６】
Ｐａｙｌｏａｄ（ペイロード）−バイナリ・ツールを多重化する
ＴｏｏｌＤｅｓｃｒｉｐｔｉｏｎ（ツール記述）−このツールがその他の装置に転送することを許可されるかどうかを含んでいる、バイナリ・ツールの記述。
【００４７】
ツールを安全に転送するために、このメッセージ全体は、現在のＩＰＭＰ拡張ＣＤにおいて画定されるようにＩＰＭＰ＿Ｔｏｏｌ＿Ｓｅｃｕｒｅ＿Ｍｅｓｓａｇｅのペイロードとして設定することができる。
応答：
要求されない
【００４８】
（ｂ）ＭＰＥＧ−４システムの権利ＥＳ
（ｂ−１）　ＩＰＭＰ権利の概観
一般的に、一定のコンテンツに関連付けられた権利情報を引渡すために二つの方法が存在する。
【００４９】
まず第１に、バンドから権利を引渡すために、権利情報は、チケットまたは引換券の形式にパッケージ化される。チケットは、通常、一定の権利言語を用いてコンテンツに対する詳細な権利を含む。また、ディスクランブル・キーをチケットに多重化することもできる。また、一定のコンテンツに引換券およびチケットを独自にかつ明白にリンクすることができるように、コンテンツＩＤの一種もチケットに含まれる。
【００５０】
権利引渡しのこの方法は、実施問題であり、かつＭＰＥＧは、それを標準化する必要がない。
【００５１】
第２に、権利情報は、コンテンツ内部に多重化され、この方法で、コンテンツおよび権利情報は、互いにしっかりと結合される。ＭＰＥＧ−４　ＩＰＭＰ拡張は、コンテンツに多重化される権利情報に対する方法を標準化する必要がある。権利ＥＳは、権利情報を多重化するためにＭＰＥＧ−４システムに含まれるニュー・ストリームである。
【００５２】
（ｂ−２）　ＩＰＭＰ権利ＥＳ
ニュー・ストリームＴｙｐｅ“ＩＰＭＰＲｉｇｈｔｓＳｔｒｅａｍ（ＩＰＭＰ権利ストリーム）”は、このコンテンツに関連付けられたＩＰＭＰ　Ｒｉｇｈｔｓ　Ｉｎｆｏｒｍａｔｉｏｎ（ＩＰＭＰ権利情報）を多重化するために画定される。このストリームＴｙｐｅに割り当てられた値は、現在のＩＳＯ−確保された範囲から、０ｘ０Ｂとして設定することができる。変更ストリームＴｙｐｅ表は、以下の通りである。このストリームＴｙｐｅに対するオブジェクトＴｙｐｅは、常に、０ｘＦＥに設定されるべきである。ＭＰ４Ｆｉｌｅ　Ｆｏｒｍａｔ（ファイル・フォーマット）仕様におけるこのストリーム・タイプに対するニュー・タグが要求される。
【００５３】
【表４】
2004129194.tif 000014
【００５４】
一定の権利表現言語で構築された本コンテンツに関連付けられたＩＰＭＰ権利は、一つのＩＰＭＰ　Ｒｉｇｈｔｓ　Ｓｔｒｅａｍ（ＩＰＭＰ権利ストリーム）のペイロードとして多重化される。言語フォーマット、および権利言語をパーズすると思われるＲｉｇｈｔｓ　Ｍａｎａｇｅｍｅｎｔ　Ｔｏｏｌ（権利管理ツール）のＩＰＭＰ　Ｔｏｏｌ　ＩＤ（ＩＰＭＰツールＩＤ）は、関連ＥＳＤのＤｅｃｏｄｅｒＣｏｎｆｉｇＤｅｓｃｒｉｐｔｏｒで特定される。
【００５５】
デコーダ特定情報
2004129194.tif 000015
【００５６】
ＩｓＰｒｏｐｒｉｅｔａｒｙ（イズ・プロプラエタリ）−ビット・フィールド、真であれば、それは、対応する権利ＥＳに多重化される使用規則がプロプラエタリであることを意味し、かつそれは、それをパーズしかつ理解するためにプロプラエタリ権利管理ツールに送らなければならない。ビットが偽であるならば、それは、多重化された権利が標準フォーマットのものであり、かつ更なる処理に対して標準権利管理ツールにパスすることができることを示す。
【００５７】
ｒｉｇｈｔｓ＿ｔｏｏｌ＿ＩＤ−プロプラエタリ権利管理ツールのツールＩＤ（ＴｏｏｌＩＤ）。以下の使用規則は、この参照された権利管理ツールに送られる。
【００５８】
ＢｉｔＳｔｒｅａｍ（ビットストリーム）
2004129194.tif 000016
【００５９】
ｉｓＳｉｇｎｅｄ（イズ・サインド）−権利ストリームにおける署名の存在を示す。
ＩＰＭＰ＿Ｒｉｇｈｔｓ＿Ｓｉｇｎａｔｕｒｅ−権利ストリームで引渡されるデータの署名。
ＣｅｒｔＴｙｐｅ−用いられる証明機構の種類。
ＮｕｍＣｅｒｔｓ−含まれる証明書の数。
Ｃｅｒｔｉｆｉｃａｔｅ−証明のアレイ
Ｖｅｒｙｆｙｉｎｇ＿Ｔｏｏｌ＿Ｉｄ−証明を確認するために必要なツール（Ｔｏｏｌ）のＩＤ。これは、端末のＩＤでありうる。
権利ＥＳは、権利情報を単に多重化する。
【００６０】
本発明は、以下に示すように種々の形態をとることができる。図４は、本発明の構成を示すブロック図である。まず、第１の形態は、分配形ＩＰＭＰ装置間のメッセージングの方法である。各ＩＰＭＰ装置は、それ自体を識別するための独自の装置ＩＤを有する。装置ＩＤは製造時間中、または購入時に割り当てることができる。この方法は、
（ａ）それが存在するネットワーク・ドメインを識別するために各ＩＰＭＰ装置に対するドメインＩＤを取得するステップであって、該ネットワークが一群のＩＰＭＰ装置を意味するステップと、
（ｂ）ＩＰＭＰ装置のネットワーク・ドメインを結合することにより、近傍のＩＰＭＰ装置にＩＰＭＰ装置ＩＤを同時通信するステップと、
（ｃ）同時通信された装置ＩＤを受信することにより、前記近傍のＩＰＭＰ装置の装置ＩＤを含む受理メッセージを受信するステップとを含む。
【００６１】
第２の形態は、上述のものであって、さらに、
（ａ）一定のコンテンツＩＤによって識別されたコンテンツを要求しているＩＰＭＰ装置からコンテンツ要求メッセージを受信するステップと、
（ｂ）要求メッセージで送られたドメインＩＤをチェックし、さらに前記要求されたコンテンツに関連付けられた権利情報をチェックし、その後に肯定または否定のいずれかの応答メッセージを送り戻すステップと、
（ｃ）前記応答メッセージが肯定であるならば、その後にコンテンツ転送メッセージを用いて前記コンテンツを送ることを開始するステップと
を更に含む。
【００６２】
第３の形態は、上述の方法であって、さらに、
（ａ）一定のコンテンツＩＤによって識別されたコンテンツを要求しているＩＰＭＰ装置からコンテンツ要求メッセージを受信するステップと、
（ｂ）要求メッセージで送られたドメインＩＤをチェックし、さらに前記要求されたコンテンツに関連付けられた権利情報をチェックし、その後に肯定または否定のいずれかの応答メッセージを送り戻すステップと、
（ｃ）前記ＩＰＭＰ装置が信用ＩＰＭＰ装置であるかどうかを確認するために、ＭＰＥＧ　ＩＰＭＰにおいて画定された相互認証メッセージを用いて、前記ＩＰＭＰ装置により相互認証を行うことを選択するステップと、
（ｄ）その後にコンテンツ転送メッセージを用いて前記コンテンツを送ることを開始するステップであって、前記応答が肯定でかつ前記相互認証が成功したならば、前記コンテンツ転送メッセージは、その機密性を確保するためにＭＰＥＧ　ＩＰＭＰにおいて画定された安全メッセージとしてペイロードのように多重化される、該ステップとを更に含む。
【００６３】
第４の形態は、上記の方法であって、さらに、
（ａ）一定のツールＩＤによって識別されたＩＰＭＰツールを要求しているＩＰＭＰ装置からＩＰＭＰツール要求メッセージを受信するステップと、
（ｂ）要求メッセージで送られたドメインＩＤをチェックし、また前記要求されたＩＰＭＰツールの利用可能性もチェックし、その後に肯定または否定のいずれかの応答メッセージを送り戻すステップと、
（ｃ）前記応答メッセージが肯定であるならば、該ポジティブ応答メッセージに該要求されたＩＰＭＰツールを多重化するステップとを更に含む。
【００６４】
第５の形態は、上記の方法であって、さらに、
（ａ）一定のツールＩＤによって識別されたＩＰＭＰツールを要求しているＩＰＭＰ装置からＩＰＭＰツール要求メッセージを受信するステップと、
（ｂ）要求メッセージで送られたドメインＩＤをチェックし、また前記要求されたＩＰＭＰツールの利用可能性もチェックし、その後に肯定または否定のいずれかの、応答メッセージを送り戻すステップと、
（ｃ）前記応答がポジティブであるようになるならば、前記ＩＰＭＰ装置が信用ＩＰＭＰ装置であるかどうかを確認するために、ＭＰＥＧ　ＩＰＭＰにおいて画定された相互認証メッセージを用いて、前記ＩＰＭＰ装置により相互認証を行うことを選択するステップと、
（ｄ）前記要求されたＩＰＭＰツールを含んでいるポジティブ応答メッセージを送り戻すステップであり、前記相互認証が成功したならば、前記応答メッセージは、その機密性を確保するためにＭＰＥＧ　ＩＰＭＰにおいて画定された安全メッセージとしてペイロードのように多重化されるステップとを更に含む。
【００６５】
第６の形態は、ＭＰＥＧ　ＩＰＭＰシステムにおける一定の場所に多重化された権利情報を処理する方法である。該権利情報は、権利言語を用いて構築され、該権利情報は、それをコンテンツの一定の場所に多重化され、かつ該権利情報は、前記権利言語に基づき権利管理ツールを有するＩＰＭＰ端末に送られる方法である。この方法は、
（ａ）前記コンテンツ内部の前記場所から前記権利情報を抽出し、その後に前記権利管理ツールに前記抽出した権利情報をルーティングするステップと、
（ｂ）その後に、前記権利言語により前記権利情報を解釈し、かつ前記管理ツールによりコンテンツ消費を制御するステップとを含む。
【００６６】
第７の形態は、ＭＰＥＧ　ＩＰＭＰシステムにおける一定の場所に多重化された権利情報を処理する方法である。前記権利情報は、権利言語を用いて構築され、該権利情報は、それをコンテンツの一定の場所に多重化され、前記権利情報に関連付けられた情報におけるツールＩＤを特定することによってどの権利管理ツールが前記権利言語を取り扱うべきかを示す方法である。この方法は、
（ａ）前記コンテンツ内部の前記場所からから前記権利情報を抽出し、ツールＩＤを見ることによってどの権利管理ツールがこの権利情報を取り扱うべきかを決定するステップと、
（ｂ）端末に権利管理ツールが存在しないならば当該権利管理ツールを検索し、その後に前記権利管理ツールに前記権利情報をルーティングするステップと、
（ｃ）その後に、前記権利言語により前記権利情報を解釈し、かつ前記管理ツールによりコンテンツ消費を制御するステップとを含む。
【００６７】
第８の形態は、ＭＰＥＧ　ＩＰＭＰシステムにおける一定の場所に多重化された権利情報を処理する方法である。前記権利情報は、それをコンテンツに関連付けられた権利ＥＳ（エレメンタリ・ストリーム）に多重化され、
前記権利情報は、一定の権利言語を用いて構築され、かつ当該権利情報は、コンテンツの前記権利ＥＳに多重化され、
前記権利ＥＳは、その他のエレメンタリ・ストリームと一緒にマルチプレックスされ、かつ前記権利言語に基づき権利管理ツールを有するＭＰＥＧ　ＩＰＭＰ端末に送られる方法である。この方法は、
（ａ）前記コンテンツ内部の前記権利ＥＳから前記権利情報を抽出し、前記権利管理ツールに前記権利情報をルーティングするステップと、
（ｂ）その後に、前記権利言語により、前記権利情報を解釈し、かつ前記管理ツールによりコンテンツ消費を制御するステップとを含む。
【００６８】
第９の形態は、ＭＰＥＧ　ＩＰＭＰシステムにおける一定の場所に多重化された権利情報を処理する方法である。前記権利情報は、それをコンテンツに関連付けられた権利ＥＳに多重化され、
前記権利情報は、権利言語を用いて構築され、かつ当該権利情報は、コンテンツの前記場所に多重化され、
前記権利ＥＳＤ（ＥＳ記述子）に関連付けられたデコーダ特定情報におけるツールＩＤを特定することによってどの権利管理ツールが前記権利言語を取り扱うべきかを示す方法である。この方法は、
（ａ）前記コンテンツ内部の前記権利ＥＳから前記権利情報を抽出し、かつデコーダ特定情報におけるツールＩＤを見ることによってどの権利管理ツールがこの権利情報を取り扱うべきかを決定するステップと、
（ｂ）端末に権利管理ツールが存在しないならば当該権利管理ツールを検索し、その後に前記権利管理ツールに前記権利情報をルーティングするステップと、
（ｃ）その後に、前記権利言語により前記権利情報を解釈し、かつ前記コンテンツ消費を制御するステップとを含む。
【００６９】
上述の通り、本発明は好ましい実施形態により詳細に説明されているが、本発明はこれらに限定されるものではなく、以下の特許請求の範囲に記載された本発明の技術的範囲内において多くの好ましい変形例及び修正例が可能であることは当業者にとって自明なことであろう。
【００７０】
【発明の効果】
一組のメッセージは、分配形ＩＰＭＰ装置に対して画定される。これらのメッセージは、コンテンツ転送メッセージ、ＩＰＭＰツール転送メッセージ、並びに装置ＩＤ同時通信メッセージを含む。これらのメッセージを用いることにより、分配形装置は、ネットワークを確立し、かつインタオペラブルな方法でＩＰＭＰによって保護されたコンテンツを交換するために標準の組のメッセージを用いることができる。
【００７１】
権利ＥＳ（エレメンタリ・ストリーム）は、権利情報を多重化するために、ＭＰＥＧ−４システムで画定される。また、権利ＥＳは、ＥＳに多重化される権利がプロプラエタリであるか否か、および／またはこの権利ＥＳを取り扱うためにどの権利管理ツールであるべきかを含んでいる情報に付加される。それにより、端末は、インタオペラブルな方法で構築することができ、かつ標準化位置から権利を検索することができる。
【図面の簡単な説明】
【図１】コンテンツ分配からエントリポイント装置までのコンテンツだけを保護する伝統的なＩＰＭＰコンテンツ保護の従来技術を示す。
【図２】分配形ＩＰＭＰ装置間のメッセージのアーキテクチャを示す。
【図３】分配形ＩＰＭＰ装置にトークする機能を有するＩＰＭＰ装置の新しいアーキテクチャを示す。
【図４】本発明のＩＰＭＰ装置の構成を示すブロック図である。
【符号の説明】
コンテンツ
ＩＰＭＰツール・リスト
ＩＰＭＰツールＩＤ
代替ＩＰＭＰツールＩＤ
パラメトリック・ツール記述
ＩＰＭＰツール・エレメンタリ・ストリーム
ＩＰＭＰ情報
コンテンツ要求
コンテンツ引渡し
ミッシングＩＰＭＰツール
ＩＰＭＰツール管理プログラム
装置
装置−装置メッセージ交換インタフェース
端末−ツール管理交換インタフェース
ＩＰＭＰツール１
ＩＰＭＰツール２
ＩＰＭＰツールｎ
【図１】
2004129194.tif 000017
【図２】
2004129194.tif 000018
【図３】
2004129194.tif 000019
【図４】
2004129194.tif 000020
【外国語明細書】
2004129194.tif 000021
2004129194.tif 000022
2004129194.tif 000023
2004129194.tif 000024
2004129194.tif 000025
2004129194.tif 000026
2004129194.tif 000027
2004129194.tif 000028
2004129194.tif 000029
2004129194.tif 000030
2004129194.tif 000031
2004129194.tif 000032
2004129194.tif 000033
2004129194.tif 000034
2004129194.tif 000035
2004129194.tif 000036
2004129194.tif 000037
2004129194.tif 000038
2004129194.tif 000039
2004129194.tif 000040
2004129194.tif 000041
2004129194.tif 000042
2004129194.tif 000043
2004129194.tif 000044
2004129194.tif 000045
2004129194.tif 000046
2004129194.tif 000047
2004129194.tif 000048
2004129194.tif 000049
2004129194.tif 000050
2004129194.tif 000051
2004129194.tif 000052
2004129194.tif 000053
2004129194.tif 000054